(57)【要約】【課題】  マットレスの幅に適合できるマットレスカバーを提供する。【解決手段】  主としてマットレスカバーの底部を形成するカバー底部と、マットレスの側部を把持するカバー側部からなり、カバー底部とカバー側部に設けた複数列の係止具の係止列を変更することにより、収納するマットレスの幅に適合する幅に変更することが可能としたマットレスカバー。【選択図】      図２
2007283087.tif 000002
【特許請求の範囲】
【請求項１】
主としてマットレスカバーの底部を形成するカバー底部と、マットレスの側部を把持するカバー側部からなるマットレスカバーにおいて、カバー底部を長手方向に２分して複数列の係止具を設け、係止具の係止列を変更して連結することにより、収納するマットレスの幅に適合する幅に変更することが可能であることを特徴とする幅可変マットレスカバー。
【請求項２】
主としてマットレスカバーの底部を形成するカバー底部と、マットレスの側部を把持するカバー側部を連結してなるマットレスカバーであって、カバー底部とカバー側部に設けた複数列の係止具の係止列を変更することにより、収納するマットレスの幅に適合する幅に変更することが可能であることを特徴とする幅可変マットレスカバー。
【請求項３】
分割マットレスが収納可能である請求項１または請求項２記載の幅可変マットレスカバー。
【請求項４】
係止具がスナップボタンである請求項１から請求項３のいずれかに記載の幅可変マットレスカバー。
【請求項５】
係止列毎に異なる色相のスナップボタンが用いられている請求項４記載の幅可変マットレスカバー。
【請求項６】
カバー底部の裏面に滑り止め隆起体が形成されている請求項１から請求項４のいずれかに記載の幅可変マットレスカバー。
【発明の詳細な説明】
【技術分野】
【０００１】
本発明は、病院や療養施設等で用いられるベッド用マットレスのマットレスカバーに関するものである。
【背景技術】
【０００２】
従来から病院や療養施設等ではベッドにはマットレスの上に敷布団を敷いて用いられていた。本発明者は、マットレスを分割して、カセット型カバーに収納することにより、マットレスの運搬や、汚れたり、破損したりした場合の取替えを容易にすることを提案してきた。また、マットレス素材・形状の工夫や、３分割カセットカバーの仕切り部の工夫等により、マットレスのみにて敷布団の役目も果たさせることも提案してきた。（例えば、実開昭５９−１５０３５２号公報、特開平１１−１２８０２８号公報等）
【０００３】
近年では、体格等の身体状況や症状、余裕のある生活空間等の要求により、ベッドの幅も多様化してきて、それに合わせてマットレスの幅も多様化してきている。これに用いるマットレスカバーもその幅に合わせて準備される必要があるが、洗濯交換等の場合にマットレスの幅に合ったカバーを探す必要があり、サイズ毎の管理、保管が必要である。
【０００４】
【特許文献１】実開昭５９−１５０３５２号公報
【特許文献２】特開平１１−１２８０２８号公報
【発明の開示】
【発明が解決しようとする課題】
【０００５】
本発明は、上記のような現状を鑑みてなされたものであり、マットレスの幅に適合できるマットレスカバーを提供することを課題とするものである。
【課題を解決するための手段】
【０００６】
本発明は、上記の課題を解決するものであり、
１）   
主としてマットレスカバーの底部を形成するカバー底部と、マットレスの側部を把持するカバー側部からなるマットレスカバーにおいて、カバー底部を長手方向に２分して複数列の係止具を設け、係止具の係止列を変更して連結することにより、収納するマットレスの幅に適合する幅に変更することが可能であることを特徴とする幅可変マットレスカバー、
２）   
主としてマットレスカバーの底部を形成するカバー底部と、マットレスの側部を把持するカバー側部を連結してなるマットレスカバーであって、カバー底部とカバー側部に設けた複数列の係止具の係止列を変更することにより、収納するマットレスの幅に適合する幅に変更することが可能であることを特徴とする幅可変マットレスカバー、
３）       
分割マットレスが収納可能である上記の幅可変マットレスカバー、
４）       
係止具がスナップボタンである上記の幅可変マットレスカバー、
５）       
係止列毎に異なる色相のスナップボタンが用いられている上記の幅可変マットレスカバー、
６）       
カバー底部の裏面に滑り止め隆起体が形成されている上記の幅可変マットレスカバー
を要旨とするものである。
【発明の効果】
【０００７】
本発明のマットレスカバーは、収納するマットレスを上面側から出し入れできる構造をしていて、多層マットレスを収納するのに適している。本発明のように収納するマットレスの幅に適合する幅に変更することができるマットレスカバーにしておくと、施設内に準備するマットレスカバーの種類を最小限にすることができ、洗濯交換等の場合にマットレスの幅に合ったカバーを探す必要がなくなり、サイズ毎の管理や保管の必要がなくなって、作業効率がよくなり、コストの低減を図ることができる。
【０００８】
また、従来は部分的に破損した場合も廃棄する必要があったが、本発明のマットレスカバーでは、マットレスカバーの底部を形成するカバー底部と、マットレスの側部を把持するカバー側部とが、係止具により着脱可能になっているので、破損した部分だけの廃棄ですませることができる。
【０００９】
本発明の底部を形成するカバー底部と、マットレスの側部を把持するカバー側部とを、係止具により着脱可能としたマットレスカバーでは、マットレスカバーの底部を形成するカバー底部と、マットレスの側部を把持するカバー側部とのそれぞれに要求に応じて適した素材を用いることができるようになる。例えば、カバー底部の裏面に滑り止め隆起体を形成させておくと、マットレスの位置ずれを防止することができ、特に分割型のマットレスを稼動式ベッドに用いる場合、ベッドを傾けても位置ずれを防ぐことができる。
【００１０】
本発明のマットレスカバーにおいて、係止具としてスナップボタンを用い、係止列毎に異なる色相のスナップボタンを用いておくと、カバーの取替えに際し、係止するスナップボタンの間違いを防止することができ、作業効率を低下させることなく作業することができるようになる。
【発明を実施するための最良の形態】
【００１１】
本発明の幅可変マットレスカバーは、長手方向１枚もののマットレスや複数のマットレス材を重ねて多層マットレスとして用いる場合には、図１〜図４に示す形状のものを例示することができ、分割型マットレスに用いる場合には、図５〜図１０に示す形状のものを例示することができる。
【００１２】
図１と図２は、長手方向１枚もののマットレスや複数のマットレス材を重ねて多層マットレスとして用いる場合の本発明の幅可変マットレスカバー１を例示したものであり、図１は、主としてマットレスカバーの底部を形成するカバー底部を２分し、複数列の係止具を設け、選定した列の係止具を係止することによってマットレスを収容する状態に組み上げた状態を示す図である
【００１３】
図２は、２分したカバー底部を係止具で係止する前の状態を示す図である。図２において、マットレスカバーは、長手方向にほぼ真ん中でマットレスカバー片２とマットレスカバー片３とに２分されている。マットレスカバー片２は、マットレスカバーの底部となるカバー底部４と、マットレスの片側の側部を把持するカバー側部６と、主としてカバー底部を折り立ててマットレスの上下端を保持する端保持部８とからなり、カバー底部４と端保持部８の連結部に幅方向に複数列の係止具が取り付けられている。図２では、一例として３列の係止具１０、１１、１２を取り付けた例を示している。カバー底部４には、適当な列間隔で係止具１０、１１、１２は取り付けておく。同様にマットレスカバー片３は、マットレスカバーの底部となるカバー底部５と、マットレスの片側の側部を把持するカバー側部７と、主としてカバー底部を折り立ててマットレスの上下端を保持する端保持部９とからなり、カバー底部５と端保持部９の連結部の、マットレスカバー片２に取り付けた係止具と係合する位置に２列の係止具１３、１４が取り付けられている。
【００１４】
図２には、片側のマットレスカバー片２には３列の係止具１０、１１、１２を、今一方のマットレスカバー片３には２列の係止具１３、１４を取り付けた例を示したが、この列数は、使用する可能性のあるマットレスの幅の種類数、各々の幅によってこれらが収容できるように選べばよいのであって、本発明の効果を出す最低の係止具の取り付け列数は、片側のマットレスカバー片に２列、今一方のマットレスカバー片に１列であって、２種類の幅のマットレスに対応できるようになる。
係止具１０の列と係止具１２の列の間隔と、係止具１３の列と係止具１４の列の間隔を同じにして図２のように係止具を取り付けると５種類の幅のマットレスに対応できるようになる。
【００１５】
図１は、図２のマットレスカバー片２とマットレスカバー片３を組合せてマットレスを収容できるマットレスカバーに組み上げた状態を示している。図１のマットレスカバーは、マットレスカバー片３の連結部の上にマットレスカバー片２の連結部を重ねて係止具１０の列と係止具１３の列を係合させ、係止具１２の列と係止具１４の列を係合させた例を示している。係止具１２の列と係止具１３の列を係合させると一番幅の広いマットレスに、係止具１０の列と係止具１４の列を係合させると一番狭いマットレスに適用できる幅になる。
【００１６】
本発明にて用いることのできる係止具としては、係止要素が鈎フックと掛け環であり、鈎フックを掛け環に掛けたり外したりすることによって着脱する係止具、係止要素が紐と紐であり、両方の紐を結び合わせることによる係止具、係止要素がボタンとボタンホールであり、ボタンをボタンホールに通すことによる係止具、係止要素が面ファスナーの雄材と雌材であって、これらを押し付けたり引き剥がしたりして着脱する係止具、係止要素が雄スナップボタンと雌スナップボタンであって、これらを嵌合したり外したりすることによって着脱するスナップ等を挙げることができる。これらの中では、スナップを用いるのが好適であり、図１〜図１０では、スナップボタンを用いた例を示している。
【００１７】
係止具としてスナップボタンを用いる場合には、図１、図２の例の場合には、例えば、片側のマットレスカバー片２の係止具１０、１１、１２として雄スナップボタンを取り付け、マットレスカバー片３の係止具１３、１４として雌スナップボタンを取り付けて、これらを嵌合させてマットレスカバーに組み上げる。
【００１８】
また、スナップボタンを用いる場合には、各列の雄スナップボタンと雌スナップボタンを異なる色相にしておき、使用するマットレスの幅に適合したボタンの色相の列を選定して作業するようにしておくと、カバーの取替えに際し、嵌合させるスナップボタンの間違いを防止することができ、作業効率を低下させることなく作業することができるようになる。
例えば図１、図２の例の場合に、マットレスカバー片２の係止具１０の列とマットレスカバー片３の係止具１３の列のボタンを白色に、マットレスカバー片２の係止具１１の列のボタンを赤色に、マットレスカバー片２の係止具１２の列とマットレスカバー片３の係止具１４の列のボタンを青色にしておく。そうすると、このマットレスの幅には白色同士を、これの場合は白色と青色を嵌合させると決められるので、作業性を向上させることができる。このことは、以下に示す例においても適用できる。
【００１９】
図３と図４は、分割型マットレスに用いるマットレスカバーの場合の例を示し、３分割の場合を示している。図３は、図４のように長手方向にほぼ真ん中で２分されたマットレスカバー片２２とマットレスカバー片２３とを、カバー底部２４、２５に設けられた係止具を係止することによって得た本発明の幅可変マットレスカバーを示している。図３のカバーに３分割されたマットレス材をそれぞれ収納させてマットレスとして用いる。このマットレスは、中央部を中にして、右側は上方向に折り曲げて重ねることができ、左側は下方向に折り曲げることができる。これにより運搬時には長さが１／３の状態にして持ち運びすることができる。カバー底部とカバー側部には、図２と同様の考え方で係止具を取り付ける。図では、スナップを取り付けた例を示している。
【００２０】
図４は、２分したカバー底部を係止具で係止する前の状態を示す図であり、図２と同様の考え方にて、マットレスカバー片２２のカバー底部２４と端保持部２８の連結部に幅方向に複数列の係止具３０、３１、３２が取り付けられている。マットレスカバー片２３のカバー底部２５と端保持部２９の連結部に幅方向に複数列の係止具３３、３４が取り付けられている。図３には、マットレスカバー片２３の連結部の上にマットレスカバー片２２の連結部を重ねて係止具３０の列と係止具３３の列を係合させ、係止具３２の列と係止具３４の列を係合させた例を示している。係止具３２の列と係止具３３の列を係合させると一番幅の広いマットレスに、係止具３０の列と係止具３４の列を係合させると一番狭いマットレスに適用できる幅になる。
【００２１】
図５と図６は、主としてマットレスカバーの底部を形成するカバー底部４２とマットレスの左右の側部を把持するカバー側部４３、４４を組み合わせてマットレスカバーとする例を示している。図５は、マットレスを収容する状態に組み上げた状態を示す図であり、図６は、組み合わせる前のカバー底部と左右のカバー側部の状態を示す図である。長手方向１枚もののマットレスや複数のマットレス材を重ねて多層マットレスとして用いる場合のマットレスカバーの一例である。
【００２２】
図６は、主としてマットレスカバーの底部を形成するカバー底部４２とマットレスの左右の側部を把持するカバー側部４３、４４を組み合わせる前の状態を示す図である。この場合、主としてマットレスカバーの底部を形成するカバー底部４２は、ほぼ１枚の布帛であり、上下部がマットレスの厚さに相当する分が折り曲げられてマットレスの上端と下端を把持する役目を果たす。カバー底部４２には、この折り曲げられた部分および底部には、カバー側部４３と組み合わせてマットレスを収容する状態に組み上げるための係止具４６、４７、４８が取り付けられている。またカバー側部４３、４４は、マットレスの左右の側部を把持するために、箱型に縫製されていて、その内側には、カバー底部４２の係止具４６の取り付け位置に対応して、係止具４９、５０が取り付けられている。
【００２３】
カバー底部４２の係止具の一番内側の係止具４６の列を選定し、カバー側部４３の一番外側の係止具５０の列を選んで係止すると一番狭い幅のマットレスを収納するように設定できる。またカバー底部４２の係止具の一番外側の係止具４８の列を選定し、カバー側部４３の一番内側の係止具４９の列を選定して係止すると一番広い幅のマットレスを収納するように設定できる。このようにカバー底部４２に幅方向に複数列の係止具を取り付けておいて、これらから選定してカバー側部の係止具と係止させることにより、収納するマットレスの幅に設定することができる。
【００２４】
図５、図６において係止具の取り付け間隔の例を挙げて幅の異なるマットレスへの対応の可能なことを示す。図６でカバー底部４２の全幅を９０ｃｍとし、カバー側部４３，４４の最も奥の部分がカバー底部４２の両耳に当る位置まで入れて係止具４６の列と係止具４９の列とで係止してマットレスを収容する状態に組み上げるようにすると、幅が９０ｃｍのマットレスに使用できる。ここで係止具４６から２．５ｃｍ外側に係止具４７を取り付けておいて係止具４９の列とで係止すると５ｃｍ幅の広い９５ｃｍのマットレスに使用できるようになる。この場合片側は係止具４６の列と係止具４９の列とで係止し、今一方は係止具４７の列と係止具４９の列とで係止すると２．５ｃｍ幅の広い９２．５ｃｍのマットレスに使用できるようになる。係止具４７から２．５ｃｍ外側に係止具４８を取り付けておいて係止具４９の列とで係止すると１００ｃｍのマットレスに、片側は係止具４７の列と係止具４９の列とで係止し、今一方は係止具４８の列と係止具４９の列とで係止すると９７．５ｃｍのマットレスに使用できるようになる。このような例においてカバー側部の係止具５０は、係止具４６と係止具４９とで係止した場合に、係止具４７とで係止できる位置に設けておくと、係止具４７と係止具４９とで係止した場合には、係止具４８と係止できる位置になり、カバー側部の取り付けがしっかりして好適である。
【００２５】
図７〜図１０は、分割型マットレスに用いる場合の例を示し、３分割の場合を示している。図７は、図８のように準備されたカバー底部５１、５２とカバー側部５３、５４とを組み合わせて得た本発明の幅可変マットレスカバーを示している。図７のカバーにマットレス材を収納させると、中央部を中にして、右側は上方向に折り曲げて重ねることができ、左側は下方向に折り曲げることができる。これにより運搬時には長さが１／３の状態にして持ち運びすることができる。カバー底部とカバー側部には、図６と同様の考え方で係止具を取り付ける。図では、スナップを取り付けた例を示している。
【００２６】
図９と図１０は、図７、図８と同様であるが、カバー側部の表側の形状を弓状とした例である。
【００２７】
本発明の幅可変マットレスカバーのカバー底部の裏側には、合成樹脂をスポット状に付与した滑り止め隆起体を形成しておくと、軽量マットレスの場合でもベッド上でマットレスが滑り落ちたり、位置がずれたりしにくくなる。
【図面の簡単な説明】
【００２８】
【図１】本発明の幅可変マットレスカバーの構造の例を示す図である。
【図２】図１の幅可変マットレスカバーを組み合わせる前の状態を示す図である。
【図３】本発明の幅可変マットレスカバーの構造の例を示す図である。
【図４】図３の幅可変マットレスカバーを組み合わせる前の状態を示す図である。
【図５】本発明の幅可変マットレスカバーの構造の例を示す図である。
【図６】図５の幅可変マットレスカバーを組み合わせる前の状態を示す図である。
【図７】本発明の幅可変マットレスカバーの構造の例を示す図である。
【図８】図７の幅可変マットレスカバーを組み合わせる前の状態を示す図である。
【図９】本発明の幅可変マットレスカバーの構造の例を示す図である。
【図１０】図９の幅可変マットレスカバーを組み合わせる前の状態を示す図である。
【符号の説明】
【００２９】
１、２１、４１  幅可変マットレスカバー
２、３、２２、２３  マットレスカバー片
４、５、２４、２５、４２、５１、５２  カバー底部
６、７、２６、２７、４３、４４、５３、５４  カバー側部
１０、１１、１２、１３、１４  係止具（スナップ）
４６、４７、４８、４９、５０  係止具（スナップ）
８、９、４５  端保持部
１５、５５  滑り止め隆起体
【図１】
2007283087.tif 000003
【図２】
2007283087.tif 000004
【図３】
2007283087.tif 000005
【図４】
2007283087.tif 000006
【図５】
2007283087.tif 000007
【図６】
2007283087.tif 000008
【図７】
2007283087.tif 000009
【図８】
2007283087.tif 000010
【図９】
2007283087.tif 000011
【図１０】
2007283087.tif 000012